(57)【要約】【課題】交換部品を装置から取り外す際、ねじが交換する部品から外れることのないねじ脱落防止機構を提供する。【解決手段】ねじ２０１の谷の径２５２と同等径の内径を備えるねじ保持用ワッシャー１００と、ねじ２０１を挿入する貫通穴１６１と交換ユニット１１に設けた通穴１５よりも大経のフランジ部１１２とねじ保持用ワッシャー１００に設けた突起１０１に掛かるストッパ１１１とを備える脱落防止スペーサ１１０とで構成する。【選択図】      図１
2006266411.tif 000002
【特許請求の範囲】
【請求項１】
ねじの谷の径と同等径の内径を備えるねじ保持用ワッシャーと、ねじを挿入する貫通穴と交換ユニットに設けた通穴よりも大経のフランジ部と前記ねじ保持用ワッシャーに設けた突起に掛かるストッパとを備える脱落防止スペーサとを有することを特徴とするねじ脱落防止機構。
【請求項２】
前記ねじ保持用ワッシャーは、前記ねじの頭部と接するねじ接触部を有し、前記ねじ接触部の対面側に前記突起を設けることを特徴とする請求項１記載のねじ脱落防止機構。
【請求項３】
前記ねじ保持用ワッシャーは、弾性変形可能な材質で成形することを特徴とする請求項１または２記載のねじ脱落防止機構。
【請求項４】
前記ねじ保持用ワッシャーは、ねじ接触部から突起に至る切り欠き部を有し、ねじ接触部と突起とに溝を設けることを特徴とする請求項１乃至３の何れか１項記載のねじ脱落防止機構。
【発明の詳細な説明】
【技術分野】
【０００１】
本発明は、ねじ脱落防止機構に関し、特に、部品交換の際、部品を外しても、ねじが脱落せず、組立も容易にできるねじ脱落防止機構に関する。
【背景技術】
【０００２】
装置に実装された部品を固定する方法として、ねじを使用する方法は、従来から一般的に行われている。
【０００３】
ところが、部品の故障などにより交換する場合、部品を固定していたねじを取り外す必要性があり、ねじが外れると、落としてしまうことがある。ディスクアレイ装置などでは、電源を投入した状態で交換することがあり、落ちたねじが装置の内部へ入り込んでしまい、電気部品などの接触してショートするなどの虞れがある。
【０００４】
このような危険性を防ぐためには、部品交換の際に、部品を外しても、ねじが脱落しない構造とする必要があり、また、製造におけるねじの損傷もあり得ることから、組立も容易に行える必要がある。
【０００５】
従来の、部品をねじで固定するとき、ワッシャの脱落防止を図る技術が、特許文献１に記載されている。特許文献１記載の技術は、交換する部品に取り付けられたねじを緩める方向に回転させた際、ねじが軸方向に動作するのと同期して動く必要がある。交換する部品の引き抜き力が、ワッシャとねじ山の係合力より強い場合には、ねじのみが動作することになり、最終的にワッシャから外れてしまい、その結果、ねじが交換する部品から外れてしまっていた。
【０００６】
【特許文献１】実開昭６３ー０６９８０８号公報
【発明の開示】
【発明が解決しようとする課題】
【０００７】
上述の従来から一般的に行われているねじを使用して部品を固定する方法は、部品を固定していたねじを取り外す際、ねじを装置内部へ落としてしまうケースがあるという課題がある。
【０００８】
特許文献１は、交換する部品の引き抜き力が、ワッシャとねじ山の係合力より強い場合には、ねじのみが動作することになり、最終的にワッシャから外れ、ねじが交換する部品から外れてしまうという課題がある。
【０００９】
本発明の目的は、上記課題を解決すべく、ねじと交換部品とが一体の状態を保持でき、交換部品を装置から取り外す際、ねじが交換する部品から外れることのないねじ脱落防止機構を提供することにある。
【課題を解決するための手段】
【００１０】
本発明のねじ脱落防止機構は、ねじの谷の径と同等径の内径を備えるねじ保持用ワッシャーと、ねじを挿入する貫通穴と交換ユニットに設けた通穴よりも大経のフランジ部とねじ保持用ワッシャーに設けた突起に掛かるストッパとを備える脱落防止スペーサとを有することを特徴とする。
【００１１】
ねじ保持用ワッシャーは、ねじの頭部と接するねじ接触部を有し、ねじ接触部の対面側に突起を設けることを特徴とする。
【００１２】
ねじ保持用ワッシャーは、弾性変形可能な材質で成形することを特徴とする。
【００１３】
ねじ保持用ワッシャーは、ねじ接触部から突起に至る切り欠き部を有し、ねじ接触部と突起とに溝を設けることを特徴とする。
【発明の効果】
【００１４】
本発明のねじ脱落防止機構は、部品交換作業時におけるねじ脱落に起因する事故を防ぐことができるという効果がある。
【００１５】
また、圧入などの接合を必要とせず、容易に取り付け、取り外しが可能であり、単純な構造であるため、安価に製造可能であるという効果がある。
【発明を実施するための最良の形態】
【００１６】
次に、本発明を実施するための最良の形態について図面を参照して詳細に説明する。
【００１７】
図１は、本発明のねじ脱落防止機構を示す断面図である。
【００１８】
図１を参照すると、ねじ脱落防止機構は、ねじ保持用ワッシャー１００と脱落防止スペーサ１１０によって構成される。
【００１９】
ねじ保持用ワッシャー１００は、ねじ２０１の谷の径２５２と同等径のワッシャ内径１５１を備え、かつ、ねじ頭部２０４と接する、ねじ接触部１０２を有し、また、ねじ接触部１０２の対面側には、脱落防止スペーサ１１０に設けられたストッパ１１１に掛かるように、突起１０１が設けられている。また、ねじ保持用ワッシャー１００のワッシャ外径１０３は、交換ユニット１１に設けられた脱落防止スペーサ１１０にあるストッパ１１１と、軸１１３が通る通穴１５よりも大きくなっている。
【００２０】
脱落保持スペーサ１１０には、交換ユニット１１に設けられた通穴１５よりも大きくなっているフランジ部１１２があり、また、ねじ保持用ワッシャー１００にある突起１０１に掛かるようにストッパ１１１を有している。さらに、脱落保持スペーサ１１０の中央には、ねじ２０１を通すための貫通穴１６１が設けられている。
【００２１】
図２（ａ）、図２（ｂ）を参照すると、ねじ保持用ワッシャー１００は、弾性変形可能な材質で成形し、切り欠き１０５と、ねじ接触部１０２と突起１０１に溝１０３を形成することで、切り欠き１０５が半径方向に弾性変形可能な構造としている。
【００２２】
次に、本発明を実施するための最良の形態の動作について図面を参照して説明する。
【００２３】
まず、ねじ２０１が脱落しない構造について説明する。
【００２４】
図１を参照すると、ねじ２０１は、ねじ保持用ワッシャー１００に備えられたねじ接触部１０２により支持される。ねじ接触部１０２のワッシャー内径１５１は、ねじ２０１の谷の径２５２と同等径であり、かつ、ねじ外径２５１より小さいことから、ねじ２０１は、ねじ保持用ワッシャー１００により保持されることになる。
【００２５】
ねじ保持用ワッシャー１００に備えられた突起１０１は、脱落防止スペーサ１１０にあるストッパ１１１に掛かる構造となっており、ねじ保持用ワッシャー１００が、脱落防止スペーサ１１０から抜けることはない。
【００２６】
また、交換ユニット１１に備えられた通穴１５は、ねじ保持ワッシャー１００にある突起１０１と、脱落防止スペーサ１１０にあるフランジ部１１２のいずれよりも小さい径となっているため、ねじ保持ワッシャー１００にある突起１０１と、脱落防止スペーサ１１０にあるフランジ部１１２に挟まれた構造となり、交換ユニット１１から、ねじ保持ワッシャー１００にある突起１０１と、脱落防止スペーサ１１０にあるフランジ部１１２が外れることはない。
【００２７】
図３を参照すると、ねじ保持用ワッシャー１００のストッパ１１１と、脱落防止スペーサ１１０の突起１０１が接触した状態では、ねじ２０１は、固定部２から外れた状態となっており、この状態では、ねじ２０１を緩めるために回転させたとしても、ねじ保持用ワッシャー１００のストッパ１１１と、脱落防止スペーサ１１０の突起１０１の接触と、ねじ２０１とねじ保持用ワッシャー１００にあるねじ接触部１０２により、ねじ２０１は空回り状態となる。
【００２８】
従って、ねじ２０１が、交換ユニット１１から外れず、かつ、ねじ２０１の動作と交換ユニット１１の動作が同期せず動作しない状態となっても、ねじ２０１が交換ユニット１１から外れることはない。
【００２９】
次に、ねじ２０１を締めた状態について説明する。
【００３０】
図４を参照すると、ねじ２０１を締め付けた場合、ねじ２０１のねじ頭２０４が、ねじ保持用ワッシャー１００のねじ接触部１０２に接触する。また、ねじ２０１の締め付けにより、ねじ保持用ワッシャー１００の突起部１０１が、交換ユニット１１と接触する。更に、ねじ２０１の締め付けにより、交換ユニット１１と脱落防止スペーサ１１０のフランジ部１１２が接触し、脱落防止スペーサ１１０のフランジ部１１２とディスクアレイ装置１が接触する。
【００３１】
ここで、脱落防止スペーサ１１０にあるストッパ１１１は、脱落防止スペーサ１１０と交換ユニット１１、ねじ保持用ワッシャー１００が接触した状態でも、ねじ保持用ワッシャー１００にあるねじ接触部１０２とは接触しない構造となっている。
【００３２】
これにより、交換ユニット１１は、ねじ２０１により、脱落防止スペーサ１１０、ねじ保持用ワッシャー１００を介して、ディスクアレイ装置１へ固定可能となる。
【００３３】
次に、ねじ保持用ワッシャー１００と脱落防止スペーサ１１０の組立について説明する。
【００３４】
図２（ａ）、図２（ｂ）を参照すると、ねじ保持用ワッシャー１００は、弾性変形可能な材質で成形され、切り欠き１０５が存在する。また、ねじ接触部１０２と突起１０１に溝１０４が形成されているため、切り欠き１０５が半径方向に弾性変形し、切り欠き１０５が広がる構造となっている。このことから、交換ユニット１１の通穴１５へ脱落防止スペーサ１１０を通し、脱落防止スペーサ１１０にある貫通穴１６１にねじ２０１を通した状態で、ねじ保持用ワッシャー１００を、横方向から取り付けることができる。また、ねじ保持用ワッシャー１００を取り外す場合においても、ねじ保持用ワッシャー１００の切り欠き１０５を広げた状態で移動させることが可能であり、簡単に取り外すことが可能である。
【図面の簡単な説明】
【００３５】
【図１】本発明のねじ脱落防止機構を示す断面図である。
【図２】図２（ａ）、図２（ｂ）は、ねじ脱落防止機構の分解斜視図である。
【図３】ねじの脱落防止を説明するための断面図である。
【図４】締め付け状態を説明するための断面図である。
【符号の説明】
【００３６】
１    ディスクアレイ装置
１１    交換ユニット
１５    通穴
１００    ねじ保持用ワッシャー
１０１    突起
１０２    ねじ接触部
１０３    ワッシャ外径
１０４    溝
１０５    切り欠き
１１０    脱落防止スペーサ
１１１    ストッパ
１１２  フランジ部
１１３    軸
１５１    ワッシャ内径
１６１    貫通穴
２０１    ねじ
２０４    ねじ頭
２５１    ねじ外径
２５２    谷の径
【図１】
2006266411.tif 000003
【図２】
2006266411.tif 000004
【図３】
2006266411.tif 000005
【図４】
2006266411.tif 000006